【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
Ｗｅｂサーバと、当該Ｗｅｂサーバが提供する画面を表示する画像処理装置とを含む画像処理システムであって、
前記画像処理装置は、
前記画面を介してユーザが機能の実行を指示したことに応じて、前記Ｗｅｂサーバに対して当該機能の実行を要求する第１の要求手段と、
前記第１の要求手段による要求を受けた前記Ｗｅｂサーバから、前記機能の実行要求を受信する第１の受信手段と、
前記第１の受信手段が受信した実行要求に基づいて、前記機能を実行する実行手段と、
前記Ｗｅｂサーバから、前記機能の実行状況を示す画面を受信する第２の受信手段と、
前記Ｗｅｂサーバに対して、前記機能の更新された実行状況を示す画面を要求する第２の要求手段と、
前記第２の要求手段による要求を受けた前記Ｗｅｂサーバから、前記機能の更新された実行状況を示す画面を受信する第３の受信手段と、を備え、
前記Ｗｅｂサーバは、
前記第１の要求手段による要求に応じて、前記機能の実行要求を前記画像処理装置に送信する第１の送信手段と、
前記機能の実行状況を示す画面を前記画像処理装置に送信する第２の送信手段と、
前記第２の要求手段による要求に応じて、前記機能の更新された実行状況を示す画面を前記画像処理装置に送信する第３の送信手段と、を備え、
前記第２の送信手段が送信する画面には、前記第２の要求手段が要求を行うタイミングが定義されており、前記第２の要求手段は、前記定義されたタイミングに従って要求を行うことを特徴とする画像処理システム。
【請求項２】
前記画像処理装置は、前記第１の要求手段による要求、前記第２の受信手段による受信、前記第２の要求手段による要求、及び前記第３の受信手段による受信を、Ｗｅｂブラウザを用いて行うことを特徴とする請求項１に記載の画像処理システム。
【請求項３】
前記画像処理装置は、前記１の受信手段による受信を、前記Ｗｅｂブラウザを用いずに行うことを特徴とする請求項２に記載の画像処理システム。
【請求項４】
前記画像処理装置は、前記１の受信手段による受信を、サービスプロバイダを用いて行うことを特徴とする請求項１乃至３のいずれか１項に記載の画像処理システム。
【請求項５】
前記Ｗｅｂサーバは、前記第２の要求手段による要求に応じて前記画像処理装置から前記機能の実行状況を取得する取得手段を更に備え、
前記第３の送信手段は、前記取得手段が取得した実行状況に基づいて生成した画面を前記画像処理装置に送信することを特徴とする請求項１乃至４のいずれか１項に記載の画像処理システム。
【請求項６】
前記定義されたタイミングとは、前記第２の受信手段が画面を受信してから所定時間が経過したタイミングであることを特徴とする請求項１乃至５のいずれか１項に記載の画像処理システム。
【請求項７】
前記機能は、原稿上の画像を読み取って生成した画像データを送信する機能であることを特徴とする請求項１乃至６のいずれか１項に記載の画像処理システム。
【請求項８】
前記実行状況は、前記機能の正常終了、キャンセル終了、及び実行中の少なくとも１つを含むことを特徴とする請求項１乃至７のいずれか１項に記載の画像処理システム。
【請求項９】
ユーザが機能の実行を指示したことに応じて当該機能の実行を要求する第１の要求手段と、前記第１の要求手段による要求に応じた前記機能の実行要求を受信する第１の受信手段と、前記第１の受信手段が受信した実行要求に基づいて前記機能を実行する実行手段と、前記機能の実行状況を示す画面を受信する第２の受信手段と、前記機能の更新された実行状況を示す画面を要求する第２の要求手段と、前記第２の要求手段による要求に応じた前記機能の更新された実行状況を示す画面を受信する第３の受信手段と、を備えた画像処理装置と通信するＷｅｂサーバであって、
前記第１の要求手段による要求に応じて前記機能の実行要求を前記画像処理装置に送信する第１の送信手段と、
前記機能の実行状況を示す画面を前記画像処理装置に送信する第２の送信手段と、
前記第２の要求手段による要求に応じて、前記機能の更新された実行状況を示す画面を前記画像処理装置に送信する第３の送信手段と、を備え、
前記第２の送信手段が送信する画面には、前記第２の要求手段が要求を行うタイミングが定義されていることを特徴とするＷｅｂサーバ。
【請求項１０】
前記第２の要求手段による要求に応じて前記画像処理装置から前記機能の実行状況を取得する取得手段を更に備え、
前記第３の送信手段は、前記取得手段が取得した実行状況に基づいて生成した画面を前記画像処理装置に送信することを特徴とする請求項９に記載のＷｅｂサーバ。
【請求項１１】
前記定義されたタイミングとは、前記第２の受信手段が画面を受信してから所定時間が経過したタイミングであることを特徴とする請求項９または１０に記載のＷｅｂサーバ。
【請求項１２】
前記機能は、原稿上の画像を読み取って生成した画像データを送信する機能であることを特徴とする請求項９乃至１１のいずれか１項に記載のＷｅｂサーバ。
【請求項１３】
前記実行状況は、前記機能の正常終了、キャンセル終了、及び実行中の少なくとも１つを含むことを特徴とする請求項９乃至１２のいずれか１項に記載のＷｅｂサーバ。
【請求項１４】
Ｗｅｂサーバと、当該Ｗｅｂサーバが提供する画面を表示する画像処理装置とを含む画像処理システムにおける画像処理方法であって、
前記画像処理装置において、
前記画面を介してユーザが機能の実行を指示したことに応じて、前記Ｗｅｂサーバに対して当該機能の実行を要求する第１の要求工程と、
前記第１の要求工程での要求を受けた前記Ｗｅｂサーバから、前記機能の実行要求を受信する第１の受信工程と、
前記第１の受信工程で受信した実行要求に基づいて前記機能を実行する実行工程と、
前記Ｗｅｂサーバから、前記機能の実行状況を示す画面を受信する第２の受信工程と、
前記Ｗｅｂサーバに対して、前記機能の更新された実行状況を示す画面を要求する第２の要求工程と、
前記第２の要求工程での要求を受けた前記Ｗｅｂサーバから、前記機能の更新された実行状況を示す画面を受信する第３の受信工程と、を備え、
前記Ｗｅｂサーバにおいて、
前記第１の要求工程での要求に応じて、前記機能の実行要求を前記画像処理装置に送信する第１の送信工程と、
前記機能の実行状況を示す画面を前記画像処理装置に送信する第２の送信工程と、
前記第２の要求工程での要求に応じて、前記機能の更新された実行状況を示す画面を前記画像処理装置に送信する第３の送信工程と、を備え、
前記第２の送信工程で送信する画面には、前記第２の要求手段が要求を行うタイミングが定義されており、前記第２の要求工程では、前記定義されたタイミングに従って要求を行うことを特徴とする画像処理方法。
【請求項１５】
ユーザが機能の実行を指示したことに応じて当該機能の実行を要求する第１の要求手段と、前記第１の要求手段による要求に応じた前記機能の実行要求を受信する第１の受信手段と、前記第１の受信手段が受信した実行要求に基づいて前記機能を実行する実行手段と、前記機能の実行状況を示す画面を受信する第２の受信手段と、前記機能の更新された実行状況を示す画面を要求する第２の要求手段と、前記第２の要求手段による要求に応じた前記機能の更新された実行状況を示す画面を受信する第３の受信手段と、を備えた画像処理装置と通信するＷｅｂサーバの制御方法であって、
前記第１の要求手段による要求に応じて前記機能の実行要求を前記画像処理装置に送信する第１の送信工程と、
前記機能の実行状況を示す画面を前記画像処理装置に送信する第２の送信工程と、
前記第２の要求手段による要求に応じて、前記機能の更新された実行状況を示す画面を前記画像処理装置に送信する第３の送信工程と、を備え、
前記第２の送信工程で送信する画面には、前記第２の要求手段が要求を行うタイミングが定義されていることを特徴とする制御方法。
【請求項１６】
コンピュータを請求項１乃至８のいずれか１項に記載の画像処理システムの各手段として機能させるためのプログラム。
【請求項１７】
コンピュータを請求項９乃至１３のいずれか１項に記載のＷｅｂサーバの各手段として機能させるためのプログラム。
【手続補正２】
【補正対象書類名】明細書
【補正対象項目名】発明の名称
【補正方法】変更
【補正の内容】
【発明の名称】画像処理システム、Ｗｅｂサーバ、画像処理方法、Ｗｅｂサーバの制御方法、及びプログラム
【手続補正３】
【補正対象書類名】明細書
【補正対象項目名】０００１
【補正方法】変更
【補正の内容】
【０００１】
本発明は、Ｗｅｂサーバと、当該Ｗｅｂサーバから提供される画面を表示する画像処理装置とを含む画像処理システムに関する。
【手続補正４】
【補正対象書類名】明細書
【補正対象項目名】０００８
【補正方法】変更
【補正の内容】
【０００８】
本発明は、上記問題点に鑑みてなされたものであり、機能の実行状況を適切に表示する仕組みを提供するものである。
【手続補正５】
【補正対象書類名】明細書
【補正対象項目名】０００９
【補正方法】変更
【補正の内容】
【０００９】
上記課題を解決するため、本発明に係る画像処理システムは、Ｗｅｂサーバと、当該Ｗｅｂサーバが提供する画面を表示する画像処理装置とを含む画像処理システムであって、前記画像処理装置は、前記画面を介してユーザが機能の実行を指示したことに応じて、前記Ｗｅｂサーバに対して当該機能の実行を要求する第１の要求手段と、前記第１の要求手段による要求を受けた前記Ｗｅｂサーバから、前記機能の実行要求を受信する第１の受信手段と、前記第１の受信手段が受信した実行要求に基づいて、前記機能を実行する実行手段と、前記Ｗｅｂサーバから、前記機能の実行状況を示す画面を受信する第２の受信手段と、前記Ｗｅｂサーバに対して、前記機能の更新された実行状況を示す画面を要求する第２の要求手段と、前記第２の要求手段による要求を受けた前記Ｗｅｂサーバから、前記機能の更新された実行状況を示す画面を受信する第３の受信手段と、を備え、前記Ｗｅｂサーバは、前記第１の要求手段による要求に応じて、前記機能の実行要求を前記画像処理装置に送信する第１の送信手段と、前記機能の実行状況を示す画面を前記画像処理装置に送信する第２の送信手段と、前記第２の要求手段による要求に応じて、前記機能の更新された実行状況を示す画面を前記画像処理装置に送信する第３の送信手段と、を備え、前記第２の送信手段が送信する画面には、前記第２の要求手段が要求を行うタイミングが定義されており、前記第２の要求手段は、前記定義されたタイミングに従って要求を行うことを特徴とする。
【手続補正６】
【補正対象書類名】明細書
【補正対象項目名】００１０
【補正方法】変更
【補正の内容】
【００１０】
本発明によれば、機能の実行状況を適切に表示する仕組みを提供することができる。